(57)【要約】【課題】エアフィルター清掃機能を有したフィルター装置において、長期間の使用時に、吸引ノズルや吸引ダクト内に堆積する塵埃が塊となって吸引装置へ入りこみ、排気ファンをロックさせる。【解決手段】エアフィルター１０２と、吸引ノズル１０３と、吸引ノズル１０３に連通された吸引装置１０６を具備し、吸引装置１０６は、吸引室２０１と排気室２０２を備えており、排気室２０２側に複数のフィン２０３を備えるファン２０４を内臓し、モーター２０５によって駆動され、吸引室２０１と排気室２０２との間に、複数のフィン２０３を覆うようにして、穴の空いた弾力性を有する隔壁２０６を備える。【選択図】図２
2006284136.tif 000002
【特許請求の範囲】
【請求項１】
エアフィルターと、吸引ノズルと、吸引ノズルに連通された吸引装置を具備し、前記吸引装置は吸気室と排気室及び前記吸気室を備え、前記排気室に、複数のフィンを備えるファンと、前記ファンを駆動するモータとを備え、前記吸気室と前記排気室の間に、前記複数のフィンを覆う隔壁を具備し、前記隔壁が弾力性のある材質であることを特徴とする空気調和機のフィルター装置。
【請求項２】
前記弾力性のある隔壁の排気室側に複数のリブを構成したことを特徴とする請求項１に記載の空気調和機のフィルター装置。
【請求項３】
エアフィルターと、吸引ノズルと、吸引ノズルに連通された吸引装置を具備し、吸引装置は、吸気室と排気室及び前記吸気室を備え、前記吸気室と前記排気室の間に穴の空いた隔壁を具備しており、前記隔壁が可動式となっている事を特徴とする空気調和機のフィルター装置。
【発明の詳細な説明】
【技術分野】
【０００１】
本発明は、エアフィルターの清掃を自動的に行うようにした空気調和機のフィルター装置に関するものである。
【背景技術】
【０００２】
従来の空気調和機のフィルター装置は、熱交換器の前面に空気調和機の本体内部へ埃が侵入することを防ぐためのエアフィルターが設けられており、このエアフィルターは付着した塵埃を手で清掃できるように着脱自在に構成されている。こうした構成でのフィルター装置は頻繁なメンテナンスが必要となるだけでなく、メンテナンスが行われるまでの間にはエアフィルターが徐々に目詰まりしていき、その結果、熱交換器を通過する風量が低下して空調能力が低下して消費電力の増大につながることとなる。
【０００３】
このため、エアフィルターのメンテナンスの手間を低減する目的で、特許文献１のようにエアフィルターに付着した塵埃をブラシにて掻き落として清掃するフィルター装置や、特許文献２のようにエアフィルターに付着した塵埃を吸引にて清掃するフィルター装置が考案されている。
【特許文献１】特開平６−７４５２１号公報
【特許文献２】特開２００２−３４０３９５号公報
【発明の開示】
【発明が解決しようとする課題】
【０００４】
しかしながら、前記従来技術では、ブラシで掻き落として清掃するとブラシに塵埃が絡みついたり、掻き落として集めた塵埃を処理しなくてはならず、メンテナンスの手間が大幅に軽減されるものではなかった。一方、吸引にて清掃する方法においても、吸引力だけでは充分な清掃性能が得られないという課題があった。
【０００５】
本発明は、前記従来の課題を解決するもので、高性能なエアフィルター清掃能力を有し、メンテナンスの手間も大幅に低減し、さらに清掃能力を損なわない空気調和機のフィルター装置を提供することを目的とする。
【課題を解決するための手段】
【０００６】
前記従来の課題を解決するために、本発明の空気調和機のフィルター装置は、エアフィルターと、吸引ノズルと、吸引ノズルに連通された吸引装置を具備し、前記吸引装置は、吸気室と排気室及び前記吸気室を備え、前記排気室に、複数のフィンを備えるファンと前記ファンを駆動するモータとを備え、前記吸気室と前記排気室の間に、前記複数のフィンを覆う隔壁を具備し、前記隔壁が弾力性のある材質であることを特徴とする空気調和機のフィルター装置を提供するものである。
【０００７】
これによって、吸引装置や排気ダクトの内部に堆積した塵埃が埃の塊となって、ファンと隔壁との間に挟まる事態が生じても、隔壁が弾力性のある材質で構成されているため、埃の塊は、排気ファンの吸引で排気室側へ通り抜けることとなる。
【０００８】
また、本発明の空気調和機のフィルター装置は、前記弾力性のある隔壁の排気室側に複数のリブを構成したものである。
【０００９】
これによって、弾力性のある隔壁が、排気ファンのフィンと接触することを防ぐことが可能となる。
【００１０】
また、本発明の空気調和機のフィルター装置は、エアフィルターと、吸引ノズルと、吸引ノズルに連通された吸引装置を具備し、吸引装置は、吸気室と排気室及び前記吸気室を備え、前記吸気室と前記排気室の間に穴の空いた隔壁を具備しており、前記隔壁が可動式となっている。
【００１１】
これによって、吸引装置や排気ダクトの内部に堆積した塵埃が埃の塊となって、ファンと隔壁との間に挟まる事態が生じても、隔壁が可動式であるため、埃の塊は、排気ファンの吸引で排気室側へ通り抜けることとなる。
【発明の効果】
【００１２】
本発明の空機調和機のフィルター装置は、長期間の使用により、吸引装置や、排気ダクトの内部に堆積した塵埃が埃の塊となって、ファンと隔壁の間に挟まる事態が生じても、ファンモータが回転しなくなる事態が発生しないようにすることが出来る。
【００１３】
それにより、長期間の使用にも十分な性能を発揮することができ、ユーザーのメンテナンス作業を軽減し、“手間いらず”を提供することが可能となる。
【発明を実施するための最良の形態】
【００１４】
第１の発明は、エアフィルターと、吸引ノズルと、吸引ノズルに連通された吸引装置を具備し、前記吸引装置は、吸気室と排気室及び前記吸気室を備え、前記排気室に、複数のフィンを備えるファンと、前記ファンを駆動するモータとを備え、前記吸気室と前記排気室の間に、前記複数のフィンを覆う隔壁を具備し、前記隔壁が弾力性のある材質で構成することにより、吸引装置や排気ダクトの内部に堆積した塵埃が埃の塊となって、ファンと隔壁との間に挟まる事態が生じても、隔壁が弾力性のある材質で構成されているため、埃の塊は、排気ファンの吸引で排気室側へ通り抜けることとなり、長期間の使用により、吸引装置や、排気ダクトの内部に堆積した塵埃が埃の塊となって、ファンと隔壁の間に挟まる事態が生じても、ファンモータが回転しなくなる事態が発生しないようにすることが出来る。
【００１５】
それにより、長期間の使用にも十分な性能を発揮することができ、ユーザーのメンテナンス作業を軽減し、“手間いらず”を提供することが可能となる。
【００１６】
第２の発明は、第１の発明の弾力性のある隔壁の排気室側に複数のリブを構成したものであり、弾力性のある隔壁が、排気ファンのフィンと接触することを防ぐことが可能となり、長期間の使用にも十分な性能を発揮することができ、ユーザーのメンテナンス作業を軽減し、“手間いらず”を提供することが可能となる。
【００１７】
第３の発明は、吸気室と前記排気室の間に穴の空いた隔壁が可動式となっており、吸引装置や排気ダクトの内部に堆積した塵埃が埃の塊となって、ファンと隔壁との間に挟まる事態が生じても、隔壁が可動式であるため、埃の塊は、排気ファンの吸引で排気室側へ通り抜けることとなり、長期間の使用にも十分な性能を発揮することができ、ユーザーのメンテナンス作業を軽減し、“手間いらず”を提供することが可能となる。
【００１８】
以下、本発明の実施の形態について、図面を参照しながら説明する。なお、この実施の形態によって本発明が限定されるものではない。
【００１９】
（実施の形態１）
図１は、本発明の第１の実施の形態における空気調和機のフィルター装置の全体構成を示す斜視図である。
【００２０】
この図１において、熱交換器を通過する空気の塵埃を除去するエアフィルターは、フィルター枠１０１と、フィルター網１０２から構成され、そのエアフィルターの表面に沿って移動可能な吸引ノズル１０３が設けられる。吸引ノズル１０３はフィルター枠の上下端に設置されたガイドレール１０４により、エアフィルターと一定の距離を保って円滑に左右に移動することができる。吸引ノズル１０３には吸引ダクト１０５が連結され、さらに吸引ダクト１０５は吸引装置１０６に連結される。吸引ダクト１０５は吸引ノズル１０３の移動に差し支えないように折り曲げ可能なダクトで形成される。さらに、吸引装置１０６には排気ダクト１０７が連結され、室外へ引き回される。エアフィルター上に付着した塵埃は吸引ノズル１０３より吸引され、さらに、吸引ダクト１０５、吸引装置１０６、排気ダクト１０７を経由して室外へ排出される。
【００２１】
図２は、本発明の実施の形態１における空気調和機のフィルター装置の吸引装置の構造を示すものであり、（ａ）は平面図であり、（ｂ）は（ａ）の吸引装置のＣ−Ｃ断面図を示している。
【００２２】
図２において、吸引装置本体１０６は、吸引室２０１と排気室２０２を備えており、排気室２０２側に複数のフィン２０３を備えるファン２０４を内臓し、モーター２０５によって駆動される。
【００２３】
また、吸引装置本体１０６は、吸引室２０１と排気室２０２との間に、複数のフィン２０３を覆うようにして、穴の空いた隔壁２０６を具備している。
【００２４】
ここで、矢印Ａは、吸引される空気の流れる方向、矢印Ｂは排気される空気の流れる方向を示している。
【００２５】
図３は図２のＤ部の詳細を示す拡大断面図であり、隔壁２０６が弾性をもち、撓みを発生することを示している。
【００２６】
以上のように構成された空気調和機のフィルター装置について、以下その動作、作用を説明する。
【００２７】
図１より、吸引ノズル１０３で吸引された塵埃は吸引ダクト１０５を通過し、吸引装置１０６に吸引される。吸引装置内の空気は排気ダクト１０７を通過し屋外へと排出されそれに伴ない、塵埃も屋外へと排出されることとなる。
【００２８】
長期間の使用によって、吸引ノズル１０３や吸引ダクト１０５に塵埃の堆積が起こるが、ある時期埃の塊となって、吸引装置１０６内に侵入する場合がある。
【００２９】
図２において、埃の塊がファン２０４に備えられた複数のフィン２０３と隔壁２０６の間に挟まると、摩擦抵抗で、ファン２０４の回転が妨げられ、モーター２０５で過負荷となり、ファン２０４がロックする現象が発生する。
【００３０】
ここで、図３で示す様に、隔壁２０６を弾力性の有る材質であるので、埃の塊が挟まった状態でも、ファン２０４が回転することが出来、ファンロックする前に、埃の塊を排気室２０２側へ送り込むことができる。
【００３１】
すなわち、長期間の使用によっても、不具合を生じることなく、使用者のメンテナンスを低減させることが可能となる。
【００３２】
（実施の形態２）
図４は本発明の実施の形態２における空気調和機のフィルター装置の吸引装置の構造を示すものであり、図３に対応するものである。
【００３３】
図４において、弾力性のある隔壁２０６の排気室側に複数のリブ４０１を構成している。
【００３４】
以上のように構成された空気調和機のフィルター装置について、以下その動作、作用を説明する。
【００３５】
図４において、ファン２０４が回転すると、排気室２０２側の空気の圧力は吸気室２０１側の空気の圧力より低圧になるため、隔壁２０６は排気室側へ吸い込まれ、フィン２０３に接触する不具合が発生する。
【００３６】
そこで、排気室側に複数のリブ４０１を設けることで、隔壁２０６の倒れこみを防いでいる。そうすることで、隔壁２０６に充分な弾力性を持たせながら、ファン２０４との接触を防ぐことが可能となる。
【００３７】
（実施の形態３）
図５は本発明の実施の形態３における空気調和機のフィルター装置の吸引装置の構造を示すものであり、図３に対応するものである。
【００３８】
図５において、隔壁５０１は可動ケース５０２に取り付けられており、可動ケース５０２は軸５０３を介して、吸引装置本体１０６と連結されている。また、可動ケース５０２は図５で水平方向に可動式となっており、弾力性のあるバネ５０４で排気室側へ押さえつけられている。
【００３９】
以上のように構成された空気調和機のフィルター装置について、以下その動作、作用を説明する。
【００４０】
図５において、同様に埃の塊が隔壁５０２とフィン２０３の間に挟まっても、バネ５０４が弾性力を有するので、可動ケース５０２は可動となり、埃の塊と隔壁５０１との摩擦力を低減させることとなり、ファン２０４の回転がロックすることを防いでいる。
【００４１】
すなわち、長期間の使用によっても、不具合を生じることなく、使用者のメンテナンスを低減させることが可能となる。
【産業上の利用可能性】
【００４２】
以上のように、本発明の空気調和機のフィルター装置は、吸引装置内部の塵埃堆積の防止を図ることができるため、様々な形状のエアフィルターに利用でき、空気調和機のエアフィルターだけでなく冷却ファンを有する機器の清掃装置などにも適用できる。
【図面の簡単な説明】
【００４３】
【図１】本発明の実施の形態１における空気調和機のフィルター装置の全体構成を示す斜視図
【図２】本発明の実施の形態１における吸引装置の構造を示す平面図と断面図
【図３】本発明の実施の形態１における吸引装置の詳細を示す部分拡大断面図
【図４】本発明の実施の形態２における吸引装置の詳細を示す部分拡大断面図
【図５】本発明の実施の形態３における吸引装置の詳細を示す部分拡大断面図
【符号の説明】
【００４４】
１０１  フィルター枠
１０２  フィルター網
１０３  吸引ノズル
１０４  ガイドレール
１０５  吸引ダクト
１０６  吸引装置本体
１０７  排気ダクト
２０１  吸気室
２０２  排気室
２０３  フィン
２０４  ファン
２０５  モーター
２０６  隔壁
４０１  リブ
５０１  隔壁
５０２  可動ケース
５０３  軸
５０４  バネ
【図１】
2006284136.tif 000003
【図２】
2006284136.tif 000004
【図３】
2006284136.tif 000005
【図４】
2006284136.tif 000006
【図５】
2006284136.tif 000007